【手続補正書】
【提出日】平成24年8月9日(2012.8.9)
【手続補正１】
【補正対象書類名】明細書
【補正対象項目名】発明の名称
【補正方法】変更
【補正の内容】
【発明の名称】裏面電極型太陽電池セル、配線シート付き太陽電池セル、太陽電池モジュールおよび配線シート付き太陽電池セルの製造方法
【手続補正２】
【補正対象書類名】明細書
【補正対象項目名】０００１
【補正方法】変更
【補正の内容】
【０００１】
本発明は、裏面電極型太陽電池セル、配線シート付き太陽電池セル、太陽電池モジュールおよび配線シート付き太陽電池セルの製造方法に関する。
【手続補正３】
【補正対象書類名】明細書
【補正対象項目名】０００５
【補正方法】変更
【補正の内容】
【０００５】
本発明は上記の問題点に鑑みてなされたものであり、太陽電池セルの裏面電極と配線シートの配線との位置合わせ精度を向上できる、裏面電極型太陽電池セル、配線シート付き太陽電池セル、太陽電池モジュールおよび配線シート付き太陽電池セルの製造方法を提供することを目的とする。
【手続補正４】
【補正対象書類名】特許請求の範囲
【補正対象項目名】全文
【補正方法】変更
【補正の内容】
【特許請求の範囲】
【請求項１】
半導体基板の一方の面側に形成された複数の電極からなる電極パターンの外周より内側の内部領域にアライメントマークを有する、裏面電極型太陽電池セル。
【請求項２】
前記アライメントマークは、前記内部領域において前記複数の電極が位置しないスペースに位置する、請求項１に記載の裏面電極型太陽電池セル。
【請求項３】
前記電極は、直線状に延在する電極ラインを含み、
前記スペースは、複数の前記電極ラインのうちの少なくとも１つの電極ラインにおける前記電極ラインの延在方向の一方の端部が、他の電極ラインにおける前記一方の端部より前記延在方向において内側に位置することにより形成されている、請求項２に記載の裏面電極型太陽電池セル。
【請求項４】
前記電極は、直線状に延在する電極ラインを含み、
前記スペースは、複数の前記電極ラインのうちの少なくとも１つの電極ラインが該電極ラインの延在方向に分離して配置されることによる該電極ライン間の隙間である、請求項２に記載の裏面電極型太陽電池セル。
【請求項５】
前記電極は、直線状に延在する電極ラインを含み、
前記アライメントマークは、複数の前記電極ラインにおいて互いに隣り合う電極ライン同士の間に位置する、請求項１に記載の裏面電極型太陽電池セル。
【請求項６】
前記アライメントマークは、前記複数の電極と同じ材料で形成されている、請求項１から５のいずれかに記載の裏面電極型太陽電池セル。
【請求項７】
請求項１から６のいずれかに記載の裏面電極型太陽電池セルと複数の裏面電極型太陽電池セルを電気的に接続するための配線を有する配線シートとを備え、
前記配線は、同じ形状を有する複数の同形状部と該同形状部とは異なる形状を有する少なくとも１つの異形状部を含み、
少なくとも１つの前記アライメントマークは、前記異形状部により規定されるアライメントターゲット領域と重なって配置されている、配線シート付き太陽電池セル。
【請求項８】
前記配線は、電気的に絶縁された第１配線と第２配線とを含み、
前記第１配線および前記第２配線のそれぞれは、複数の櫛歯形状部と該複数の櫛歯形状部を接続する接続配線部とを含み、
前記第１配線および前記第２配線の少なくとも一方は、前記同形状部と前記異形状部とを含み、
前記異形状部は、前記複数の櫛歯形状部のうちの少なくとも１つの前記櫛歯形状部が、前記同形状部である他の前記櫛歯形状部よりも短いことにより形成される、請求項７に記載の配線シート付き太陽電池セル。
【請求項９】
前記配線は、電気的に絶縁された第１配線と第２配線とを含み、
前記第１配線および前記第２配線のそれぞれは、複数の櫛歯形状部と該複数の櫛歯形状部を接続する接続配線部とを含み、
前記第１配線および前記第２配線の少なくとも一方は、前記同形状部と前記異形状部とを含み、
前記異形状部は、前記配線が開口部を有することにより形成される、請求項７に記載の配線シート付き太陽電池セル。
【請求項１０】
前記配線は、電気的に絶縁された第１配線と第２配線とを含み、
前記第１配線および前記第２配線のそれぞれは、複数の櫛歯形状部と該複数の櫛歯形状
部を接続する接続配線部とを含み、
前記第１配線および前記第２配線の少なくとも一方は、前記同形状部と前記異形状部とを含み、
前記異形状部は、前記複数の櫛歯形状部のうちの少なくとも１つが、隣り合う櫛歯形状部同士の間の間隔が部分的に広がるような形状を有することにより形成される、請求項７に記載の配線シート付き太陽電池セル。
【請求項１１】
前記裏面電極型太陽電池セルが複数の前記アライメントマークを有する、請求項７に記載の配線シート付き太陽電池セル。
【請求項１２】
前記複数のアライメントマークのうちの少なくとも２つのアライメントマークが前記アライメントターゲット領域と重なって配置されている、請求項１１に記載の配線シート付き太陽電池セル。
【請求項１３】
前記複数のアライメントマークのうちの少なくとも１つのアライメントマークが前記配線と重なって配置されている、請求項１１または１２に記載の配線シート付き太陽電池セル。
【請求項１４】
請求項７から１３のいずれかに記載の配線シート付き太陽電池セルを有する太陽電池モジュール。
【請求項１５】
半導体基板の一方の面側に形成された複数の電極からなる電極パターンの外周より内側の内部領域にアライメントマークを有する裏面電極型太陽電池セルを準備する工程と、
前記裏面電極型太陽電池セルを電気的に接続するための配線シートであって、同じ形状を有する複数の同形状部と該同形状部とは異なる形状を有する少なくとも１つの異形状部とを有する配線を含む配線シートを準備する工程と、
前記裏面電極型太陽電池セルの前記アライメントマークと前記配線シートの前記異形状部により規定されるアライメントターゲット領域とを重ね合わせて配置することにより、前記裏面電極型太陽電池セルと前記配線シートとを位置合わせする工程を備える、配線シート付き太陽電池セルの製造方法。
【請求項１６】
前記位置合わせする工程において、複数の前記アライメントマークと前記アライメントターゲット領域とを重ね合わせて配置する、請求項１５に記載の配線シート付き太陽電池セルの製造方法。
【請求項１７】
前記位置合わせする工程において、少なくとも１つの前記アライメントマークと前記配線とを重ね合わせて配置する、請求項１５に記載の配線シート付き太陽電池セルの製造方法。
【請求項１８】
前記位置合わせする工程において、前記裏面電極型太陽電池セルを透過する光を照射して前記アライメントマークと前記アライメントターゲット領域とを確認しつつ前記裏面電極型太陽電池セルと前記配線シートとを重ね合わせることにより、前記裏面電極型太陽電池セルと前記配線シートとを位置合わせする、請求項１５から１７のいずれかに記載の配線シート付き太陽電池セルの製造方法。
【請求項１９】
前記位置合わせする工程において、前記裏面電極型太陽電池セルの前記電極を反射する光を照射して前記アライメントマークと前記アライメントターゲット領域とを確認しつつ前記裏面電極型太陽電池セルと前記配線シートとを重ね合わせることにより、前記裏面電極型太陽電池セルと前記配線シートとを位置合わせする、請求項１５から１７のいずれかに記載の配線シート付き太陽電池セルの製造方法。